(57)【特許請求の範囲】
【請求項１】
固定側に設けた上レールに沿って複数の戸部材を移動可能に吊り下げた吊り戸装置において、隣接して重なる戸部材の対向する一方の戸部材の面にマグネット製のローラを、他方の戸部材の面の前記一方の戸部材のマグネット製のローラを配設した高さ位置に戸部材の移動方向に帯状の磁性体をそれぞれ配設するとともに、他方の戸部材の面の帯状の磁性体を配設した高さ位置より下方位置にマグネット製のローラを、一方の戸部材の面の前記他方の戸部材のマグネット製のローラを配設した高さ位置に戸部材の移動方向に帯状の磁性体を配設し、隣接して重なる戸部材同士がマグネット製のローラ及び帯状の磁性体を介して上下２段で吸着するようにしたことを特徴とする吊り戸装置。
【発明の詳細な説明】
【技術分野】
【０００１】
本発明は、吊り戸装置に関し、特に、吊り戸の振れ止めを簡易に構成することにより、塵埃がたまりにくく、また、床面の施工に手数や制約がかからないようにした吊り戸装置に関するものである。
【背景技術】
【０００２】
従来、固定側に取り付けられた上レールに沿って移動可能に設けられた移動部材と、この移動部材によって吊り下げられた戸部材とよりなる吊り戸装置が汎用されている。
【０００３】
ところで、この種の吊り戸装置は、上レールから吊られた戸部材の下部が振れないようにするため、床面から戸部材の下面に向けてガイドピンを突出させ、このガイドピンによって戸部材の下部を案内するようにした吊り戸装置（例えば、特許文献１参照）が提案されている。
また、戸部材の下面から床面に向けてガイドピンを突出させ、このガイドピンを床面に敷設した下レールに形成した溝内に挿入し、この下レールによって戸部材の下部を案内するようにした吊り戸装置（例えば、特許文献２参照）も提案されている。
【０００４】
ところで、このような戸部材の振れを防止する振れ止め機構を設けた従来の吊り戸装置は、床面から戸部材の下面に向けて突出させるガイドピンの動作が安定しなかったり、戸部材の下面から床面に向けて突出させたガイドピンを挿入する床面に敷設した下レールの溝内に塵埃が侵入する等の問題があった。
また、このような従来の吊り戸装置は、床面にガイドピンやガイドピンを挿入する溝を形成した下レールを設ける必要があり、床面の施工に手数や制約がかかるという問題もあった。
【特許文献１】特開平４−２９７６８７号公報
【特許文献２】特開平７−４２４６０号公報
【発明の開示】
【発明が解決しようとする課題】
【０００５】
本発明は、上記従来の吊り戸装置が有する問題点に鑑み、吊り戸の振れ止めを簡易に構成することにより、塵埃がたまりにくく、また、床面の施工に手数や制約がかからない吊り戸装置を提供することを目的とする。
【課題を解決するための手段】
【０００６】
上記目的を達成するため、本発明の吊り戸装置は、固定側に設けた上レールに沿って複数の戸部材を移動可能に吊り下げた吊り戸装置において、隣接して重なる戸部材の対向する一方の戸部材の面にマグネット製のローラを、他方の戸部材の面の前記一方の戸部材のマグネット製のローラを配設した高さ位置に戸部材の移動方向に帯状の磁性体をそれぞれ配設するとともに、他方の戸部材の面の帯状の磁性体を配設した高さ位置より下方位置にマグネット製のローラを、一方の戸部材の面の前記他方の戸部材のマグネット製のローラを配設した高さ位置に戸部材の移動方向に帯状の磁性体を配設し、隣接して重なる戸部材同士がマグネット製のローラ及び帯状の磁性体を介して上下２段で吸着するようにしたことを特徴とする。
【発明の効果】
【０００７】
本発明の吊り戸装置によれば、固定側に設けた上レールに沿って複数の戸部材を移動可能に吊り下げた吊り戸装置の隣接して重なる戸部材同士がマグネット製のローラ及び帯状の磁性体を介して上下２段で吸着することにより、開閉先端側の戸部材の振れを他の戸部材で吸収することができ、これにより、吊り下げた複数の戸部材をマグネット製のローラを介して容易に摺動可能に連結することができるとともに、吊り戸の振れ止めを簡易に構成し、塵埃がたまりにくく、かつ床面の施工に手数や制約がかからない吊り戸装置を提供することができ、床面のバリアフリー化に容易に対応することができる。
【発明を実施するための最良の形態】
【０００８】
以下、本発明の吊り戸装置の実施の形態を、吊り戸装置に基づいて説明する。
【実施例１】
【０００９】
図１に、本発明の吊り戸装置の一実施例を示す。
この吊り戸装置は、固定側に取り付けた上レール１に沿って移動可能に設けられた移動部材２と、この移動部材２によって吊り下げられた複数の戸部材３とを備えている。
そして、この吊り戸装置は、隣接して重なる戸部材３同士をローラ４を介して摺接するとともに、該ローラ４又はローラ４が摺接する戸部材３の一部にマグネットを用いて相手側を吸着するようにしている。
【００１０】
具体的には、マグネット製のローラ４を一方の戸部材３に配設するとともに、他方の戸部材３に帯状の磁性体５を配設することにより、吊り下がる複数の戸部材３をマグネット製のローラ４を介して摺動可能に連結している。
【００１１】
マグネット製のローラ４は、ローラ４を受け金具４１により枢支した戸車状のものからなり、戸部材３の片面あたり横方向２箇所に埋設されている。
マグネット製のローラ４が対面する他方の戸部材３には、鉄帯からなる磁性体５がマグネット製のローラ４の転動方向、略水平に配設されている。
【００１２】
本実施例では、マグネット製のローラ４を有する一方の戸部材３にも帯状の磁性体５を配設するとともに、他方の戸部材３にマグネット製のローラ４を配設し、隣接して重なる戸部材３同士において上下２段で吸着するようにしている。
この場合、マグネット製のローラ４や磁性体５は、ナイロン等の合成樹脂材６で被覆することができ、これにより、接触音を低減するとともに、合成樹脂材６の化粧により見栄えをよくすることができる。
【００１３】
また、隣接して重なる複数の戸部材３は、それらの収納位置から開閉先端側の戸部材３を引き出すことにより、隣接する次の戸部材３が引き出される公知の掛止構造を備えることが好適である。
そして、最後に引き出される戸部材３を壁側への掛止構造とすることにより、振れ止めの効果を高めることができる。
【００１４】
かくして、本実施例の吊り戸装置は、固定側に設けた上レール１に沿って複数の戸部材３を移動可能に吊り下げた吊り戸装置において、隣接して重なる戸部材３同士をローラ４を介して摺接するとともに、該ローラ４又はローラ４が摺接する戸部材３の一部にマグネットを用いて相手側を吸着することから、吊り下がる複数の戸部材３をマグネットを介して摺動可能に連結することにより、開閉先端側の戸部材３の振れを他の戸部材３で吸収することができ、これにより、吊り戸の振れ止めを簡易に構成し、塵埃がたまりにくく、かつ床面の施工に手数や制約がかからない吊り戸装置を提供することができ、床面のバリアフリー化に容易に対応することができる。
【００１５】
また、マグネット製のローラ４を一方の戸部材３に配設するとともに、他方の戸部材３に帯状の磁性体５を配設することにより、吊り下がる複数の戸部材３をマグネット製のローラ４を介して容易に摺動可能に連結することができる。
【００１６】
以上、本発明の吊り戸装置について、その実施例に基づいて説明したが、本発明は上記実施例に記載した構成に限定されるものではなく、その趣旨を逸脱しない範囲において適宜その構成を変更することができる。
また、本明細書において、「戸部材」の概念には、通常の間仕切り用の引戸のほか、移動式の仕切り壁等を含み、これを排除しないものとする。
【産業上の利用可能性】
【００１７】
本発明の吊り戸装置は、吊り戸の振れ止めを簡易に構成することにより、塵埃がたまりにくく、また、床面の施工に手数や制約がかからないようにするという特性を有していることから、吊り戸装置、特に、床面をバリアフリー化する必要のある間仕切り用の引戸等に好適に用いることができ、また、移動式の仕切り壁等の用途にも広く用いることができる。
【図面の簡単な説明】
【００１８】
【図１】本発明の吊り戸装置の一実施例を示し、（ａ）はその正面図、（ｂ）は同側面図である。
【符号の説明】
【００１９】
１    上レール
２    移動部材
３    戸部材
４    ローラ（マグネット製）
４１  受け金具
５    磁性体
６    合成樹脂材
【図１】
0004372809.tif 000002